(57)【特許請求の範囲】
【請求項１】
乾式低圧ガスホルダのピストンをワイヤリングにより水平に自動保持する構造において、一端をホルダの屋根に固定し、他端をホルダの底部に固定すると共に、その中間部を上記ピストンの径方向に少なくとも２個設けた滑車を通して成るワイヤを、上記ホルダの周方向に所定間隔離間して複数本配すると共に、上記滑車をピストン下面に配置して上記ワイヤを、ピストンの周縁部に設けた鉱油使用のシール装置部を貫通させたことを特徴とするガスホルダのピストン支持構造。
【発明の詳細な説明】
【０００１】
【発明の属する技術分野】
本発明は、乾式低圧ガスホルダのピストンをワイヤリングにより水平に自動保持する構造に関する。
【０００２】
【従来の技術】
ガスを低圧で貯蔵する乾式ガスホルダ（ガスタンク）のピストン支持構造として、従来、図７及び図８に示すようなものがある。
【０００３】
図７には、底部１０１周縁から起立した側壁１０２の上端開口部が屋根１０３で閉塞されてなるガスホルダ１００が示されている。該ガスホルダ１００内にはピストン１０４が上下方向に摺動可能に収装され、該ピストン１０４で画成されたガスホルダ１００のピストン下部室１０５にガスが貯蔵される。そして、当該ガス圧と同ピストン１０４に一端が固定された二本宛のワイヤ１０６ａ，１０６ｂの他端が適宜滑車を介して連結されたウェイト１０７とがバランスしている。尚、図中１０８はシール用のゴムで、１０９は該ゴム１０８の形状保持用のフェンダである。
【０００４】
図８には、図７と同様のガスホルダ１００内のピストン１０４の周縁部が、貯蔵ガス圧に相当する深さの鉱油１１０を有したシール装置１１１でシールされるものが示されている。そして、ピストン１０４の水平保持用に、図７のワイヤ１０６ａ，１０６ｂ及びウェイト１０７の代わりに、ピストン１０４の周縁部に、シール装置１１１の上部に位置して、ガイドフレーム１１２を介して上下一対のガイドローラ１１３ａ，１１３ｂがガスホルダ１００の周方向に所定間隔離間して複数組配設されている。
【０００５】
尚、図８の構造によれば、ピストン１０４が例えば図９の破線に示すように傾斜すると、図中右側における上ガイドローラ１１３ａの反力と図中左側の下ガイドローラ１１３ｂの反力により、復元モーメントがピストン１０４に働き、これによりピストン１０４が水平に自動保持されるのである。この場合、上ガイドローラ１１３ａと下ガイドローラ１１３ｂの間隔は、ガスホルダ１００の直径の１／８〜１／１０である。
【０００６】
【発明が解決しようとする課題】
ところが、上述した図７に示すものにあっては、ピストン１０４を水平に自動保持するのに、大きなウェイト１０７が多数必要となるため、ガスホルダ１００回りが繁雑化して大掛かりなものになると共に部品点数増大でコストアップを招来するという問題点があった。
【０００７】
また、図８に示すものにあっては、同じくピストン１０４を水平に自動保持するのに、シール装置１１１の上部にガイドフレーム１１２及び上下一対のガイドローラ１１３ａ，１１３ｂを必要とするため、ガスホルダ１００の側壁１０２高さが高くなって、ガスホルダ１００が大型化すると共に部品点数増大でコストアップを招来するという問題点があった。
【０００８】
そこで、本発明の目的は、構造を簡略化して大型化を回避すると共に部品点数を削減してコストダウンが図れるガスホルダのピストン支持構造を提供することにある。
【０００９】
【課題を解決するための手段】
上記目的を達成するための本発明に係るガスホルダのピストン支持構造は、乾式低圧ガスホルダのピストンをワイヤリングにより水平に自動保持する構造において、一端をホルダの屋根に固定し、他端をホルダの底部に固定すると共に、その中間部を上記ピストンの径方向に少なくとも２個設けた滑車を通して成るワイヤを、上記ホルダの周方向に所定間隔離間して複数本配すると共に、上記滑車をピストン下面に配置して上記ワイヤを、ピストンの周縁部に設けた鉱油使用のシール装置部を貫通させたことを特徴とする。
【００１０】
【発明の実施の形態】
以下、本発明に係るガスホルダのピストン支持構造を実施例により図面を用いて詳細に説明する。
【００１１】
［第１実施例］
［構成］
図１は本発明の第１実施例を示す概略構成図、図２は要部の拡大構成図、図３は作用説明図である。
【００１２】
図１に示すように、ガスホルダ１は、底部２周縁から起立した側壁３の上端開口部が屋根４で閉塞されてなる。該ガスホルダ１内にはピストン５が上下方向に摺動可能に収装され、該ピストン５で画成されたガスホルダ１のピストン下部室６にガスが貯蔵される。
【００１３】
上記ピストン５の周縁部には、貯蔵ガス圧に相当する深さの鉱油７を有したシール装置８が付設される。このシール装置８は、図２に示すように、ピストン５のフートリング９に圧縮ばね１０を介して支持されたリング板状のシール部材１１がガスホルダ１の側壁３内面に弾接され、この間の微小隙間が鉱油７でシールされる公知のものである。尚、図２中１２はシール部材１１とフートリング９を結ぶキャンバス（麻布）である。
【００１４】
そして、一端をガスホルダ１の屋根４の周縁部に固定し、他端をガスホルダ１の底部２の中央部に固定すると共に、その中間部を上記ピストン５上面の径方向に２個設けた滑車１３を通して成るワイヤ１４ａ，１４ｂ・・・が、上記ガスホルダ１の周方向に所定間隔離間して複数本（少なくとも３本以上）配される。
【００１５】
尚、図１中１５は、ピストン５の中央部に設けた複数のワイヤ貫通孔で、該ワイヤ貫通孔１５はワイヤ径より若干大径に形成されるが、内面に図示しないパッキンを装着してガス漏洩量が無視できるようになっている。
【００１６】
［作用・効果］
上記のように構成されたピストン支持構造によれば、ピストン５が例えば図３の破線に示すように傾斜すると、図中右側におけるワイヤ１４ｂに張力が生じる一方図中左側のワイヤ１４ａが緩むことになる。これにより、ピストン５には復元モーメントが生じ、水平に自動保持される。
【００１７】
即ち、ピストン５の水平状態でワイヤ１４ａと１４ｂが掛け渡される距離（長さ）が等しくなるように設定されているため、図３のようにピストン５が傾斜すると、ワイヤ１４ｂが掛け渡される距離は、ワイヤ１４ａが掛け渡される距離より短くなり、傾斜状態ではワイヤ１４ｂに張力が生じ、ピストン５を復元させるのである。
【００１８】
このようにワイヤリングするため、図７に示したガスホルダ１００に対してはウェイト１０７が不要となり、図８に示したガスホルダ１００に対してはガイドフレーム１１２及び上下一対のガイドローラ１１３ａ，１１３ｂが不要となるため、ガスホルダ１回りが簡素化される一方で側壁３高さの減少が図れて大型化が回避できると共に、部品点数の削減によりコストダウンが図れる。
【００１９】
［第２実施例］
［構成］
図４は本発明の第２実施例を示す概略構成図である。
【００２０】
本実施例は、第１実施例における滑車１３をピストン５下面に配置してワイヤ１４ａ，１４ｂ・・・がシール装置８部を前述したパッキン装着のワイヤ貫通孔１５を介して貫通するようにした例であり、その他の構成は第１実施例と同様である。
【００２１】
［作用・効果］
この実施例によれば、第１実施例と同様の作用・効果が得られると共に、ワイヤ１４ａ，１４ｂ・・・がシール装置８部を貫通するのでガス漏洩がないという本実施例特有の作用・効果が得られる。
【００２２】
［第３実施例］
［構成］
図５は本発明の第３実施例を示す概略構成図である。
【００２３】
本実施例は、第１実施例においてピストン５上面の中央部に設けた滑車１３をピストン５上面の周縁部に設けてワイヤ１４ａ，１４ｂ・・・の他端をガスホルダ１の底部２の周縁部に固定した例であり、その他の構成は第１実施例と同様である。
【００２４】
［作用・効果］
この実施例によれば、第１実施例と同様の作用・効果が得られると共に、復元モーメントの腕の長さの増大によりピストン５の復元力の増大が図れるという本実施例特有の作用・効果が得られる。
【００２５】
［第４実施例］
［構成］
図６は本発明の第４実施例を示す概略構成図である。
【００２６】
本実施例は、第３実施例における滑車１３をピストン５下面に配置してワイヤ１４ａ，１４ｂ・・・がシール装置８部を貫通するようにした例であり、その他の構成は第３実施例と同様である。
【００２７】
［作用・効果］
この実施例によれば、第３実施例と同様の作用・効果が得られると共に、ワイヤ１４ａ，１４ｂ・・・がシール装置８部を貫通するのでガス漏洩がないという本実施例特有の作用・効果が得られる。
【００２８】
尚、本発明は上記各実施例に限定されず、本発明の要旨を逸脱しない範囲で各種変更が可能であることはいうまでもない。
【００２９】
【発明の効果】
以上説明したように本発明によれば、乾式低圧ガスホルダのピストンをワイヤリングにより水平に自動保持する構造において、一端をホルダの屋根に固定し、他端をホルダの底部に固定すると共に、その中間部を上記ピストンの径方向に少なくとも２個設けた滑車を通して成るワイヤを、上記ホルダの周方向に所定間隔離間して複数本配したので、簡単なワイヤリング構造でピストンを水平に自動保持することができ、ガスホルダの大型化を回避すると共に部品点数の削減によりコストダウンが図れる。
【図面の簡単な説明】
【図１】本発明の第１実施例を示す概略構成図である。
【図２】同じく要部の拡大構成図である。
【図３】同じく作用説明図である。
【図４】本発明の第２実施例を示す概略構成図である。
【図５】本発明の第３実施例を示す概略構成図である。
【図６】本発明の第４実施例を示す概略構成図である。
【図７】従来例の概略構成図である。
【図８】異なった従来例の概略構成図である。
【図９】同じく異なった従来例の作用説明図である。
【符号の説明】
１  ガスホルダ
２  底部
３  側壁
４  屋根
５  ピストン
６  ピストン下部室
７  鉱油
８  シール装置
１３  滑車
１４ａ，１４ｂ  ワイヤ
１５  ワイヤ貫通孔
【図１】
0004101342.tif 000002
【図２】
0004101342.tif 000003
【図３】
0004101342.tif 000004
【図４】
0004101342.tif 000005
【図５】
0004101342.tif 000006
【図６】
0004101342.tif 000007
【図７】
0004101342.tif 000008
【図８】
0004101342.tif 000009
【図９】
0004101342.tif 000010